(57)【要約】【課題】高コントラストの映像を表示でき、かつ利便性を向上することができる画像表示装置を提供する。【解決手段】画像表示装置１０は、平行に配置され、それぞれが可視光透過性を有し映像表示を行う有機ＥＬパネル２０及び４０と、有機ＥＬパネル２０と有機ＥＬパネル４０との間に配置され、光透過状態と光非透過状態とを切り替え可能な調光シート３０と、有機ＥＬパネル２０、有機ＥＬパネル４０及び調光シート３０を制御する制御部６０と、を備える。そして、制御部６０は、有機ＥＬパネル２０及び４０に映像を表示させ、かつ調光シート３０を光非透過状態にする第１モードと、有機ＥＬパネル２０及び４０に映像を表示させず、かつ調光シート３０を光透過状態にする第２モードとを有する。【選択図】図４
2020112581.tif 000002
【特許請求の範囲】
【請求項１】
平行に配置され、それぞれが可視光透過性を有し映像表示を行う第１のパネル及び第２のパネルと、
前記第１のパネルと前記第２のパネルとの間に配置され、光透過状態と光非透過状態とを切り替え可能な調光シートと、
前記第１のパネル、前記第２のパネル及び前記調光シートを制御する制御部と、を備え、
前記制御部は、前記第１のパネル及び前記第２のパネルに映像を表示させ、かつ前記調光シートを前記光非透過状態にする第１モードと、前記第１のパネル及び前記第２のパネルに映像を表示させず、かつ前記調光シートを前記光透過状態にする第２モードとを有する、
画像表示装置。
【請求項２】
前記制御部は、さらに、前記第１のパネルのみに映像を表示させ、かつ前記調光シートを前記光透過状態にする第１状態、及び、前記第２のパネルのみに映像を表示させ、かつ前記調光シートを前記光透過状態にする第２状態を含む第３モードを有する、
請求項１に記載の画像表示装置。
【請求項３】
前記調光シートに対して前記第１のパネル側、又は、前記調光シートに対して前記第２のパネル側に存在する人を検知するセンサを備え、
前記制御部は、前記センサの検知結果に応じて、前記第３モードにおいて前記第１状態及び前記第２状態の一方を実行する、
請求項２に記載の画像表示装置。
【請求項４】
前記制御部は、さらに、前記第１のパネルに映像を表示させ、前記第２のパネルに前記第１のパネルが表示している映像と左右逆向きの映像である反転映像を表示させ、前記調光シートを前記光透過状態にする第４モードを有する、
請求項１〜３のいずれか１項に記載の画像表示装置。
【請求項５】
前記制御部は、前記第１モードにおいて、前記第１のパネル及び前記第２のパネルのそれぞれに異なる映像を表示させる、
請求項１〜４のいずれか１項に記載の画像表示装置。
【請求項６】
平行に配置され、それぞれが可視光透過性を有し映像表示を行う第１のパネル及び第２のパネルと、前記第１のパネルと前記第２のパネルとの間に配置され、光透過状態と光非透過状態とを切り替え可能な調光シートと、を備える画像表示装置の画像表示方法であって、
前記第１のパネル及び前記第２のパネルに映像を表示させ、かつ前記調光シートを前記光非透過状態にする第１ステップと、前記第１のパネル及び前記第２のパネルに映像を表示させず、かつ前記調光シートを前記光透過状態にする第２ステップとを含む、
画像表示方法。
【発明の詳細な説明】
【技術分野】
【０００１】
本開示は、画像表示装置及び画像表示方法に関する。
【背景技術】
【０００２】
特許文献１は、２枚の有機ＥＬ（Ｅｌｅｃｔｒｏ  Ｌｕｍｉｎｅｓｃｅｎｃｅ）パネルと、その間に液晶ディスプレイ（調光ガラス）が配置された両面表示装置を開示する。このような両面表示装置は、２枚の有機ＥＬパネルに黒色を除くカラー表示をさせ、液晶ディスプレイで黒色を表示させることで、両面ともに高コントラストなフルカラー表示を行うことができる。
【先行技術文献】
【特許文献】
【０００３】
【特許文献１】特開２００８―２９３０２４号公報
【発明の概要】
【発明が解決しようとする課題】
【０００４】
本開示は、高コントラストの映像を表示でき、かつ利便性を向上することができる画像表示装置及び画像表示方法を提供することを目的とする。
【課題を解決するための手段】
【０００５】
本開示の一態様に係る画像表示装置は、平行に配置され、それぞれが可視光透過性を有し映像表示を行う第１のパネル及び第２のパネルと、前記第１のパネルと前記第２のパネルとの間に配置され、光透過状態と光非透過状態とを切り替え可能な調光シートと、前記第１のパネル、前記第２のパネル及び前記調光シートを制御する制御部と、を備え、前記制御部は、前記第１のパネル及び前記第２のパネルに映像を表示させ、かつ前記調光シートを前記光非透過状態にする第１モードと、前記第１のパネル及び前記第２のパネルに映像を表示させず、かつ前記調光シートを前記光透過状態にする第２モードとを有する。
【０００６】
また、本開示の一態様に係る画像表示方法は、平行に配置され、それぞれが可視光透過性を有し映像表示を行う第１のパネル及び第２のパネルと、前記第１のパネルと前記第２のパネルとの間に配置され、光透過状態と光非透過状態とを切り替え可能な調光シートと、を備える画像表示装置の画像表示方法であって、前記第１のパネル及び前記第２のパネルに映像を表示させ、かつ前記調光シートを前記光非透過状態にする第１ステップと、前記第１のパネル及び前記第２のパネルに映像を表示させず、かつ前記調光シートを前記光透過状態にする第２ステップとを含む。
【発明の効果】
【０００７】
本開示の一態様に係る画像表示装置及び画像表示方法によれば、高コントラストの映像を表示でき、かつ利便性を向上することができる。
【図面の簡単な説明】
【０００８】
【図１】図１は、実施の形態１に係る画像表示装置の設置例を示す模式図である。
【図２】図２は、図１のＩＩ−ＩＩ線における実施の形態１に係る画像表示装置の部分拡大断面図である。
【図３】図３は、実施の形態１に係る画像表示装置の機能構成を示すブロック図である。
【図４】図４は、実施の形態１に係る制御部が行う第１モード及び第２モードの制御の一例を示す図である。
【図５】図５は、実施の形態１に係る制御部が行う第１モード及び第２モードの遷移を示す状態遷移図である。
【図６】図６は、実施の形態１に係る制御部が行う第４モードの制御の一例を示す図である。
【図７】図７は、実施の形態２に係る画像表示装置の機能構成を示すブロック図である。
【図８】図８は、実施の形態２に係る制御部が行う第３モードの制御の一例を示す図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者は、当業者が本開示を十分に理解するために添付図面および以下の説明を提供するものであって、これらによって特許請求の範囲に記載の主題を限定することを意図するものではない。
【００１１】
また、各図は、模式図であり、必ずしも厳密に図示されたものではない。また、各図において、実質的に同一の構成に対しては同一の符号を付しており、重複する説明は省略又は簡略化される場合がある。
【００１２】
また、以下の実施の形態で説明に用いられる図面においては座標軸が示される場合がある。Ｚ軸のマイナス側が床面側、Ｚ軸のプラス側が天井側を表している。また、Ｘ軸方向及びＹ軸方向は、Ｚ軸方向に垂直な平面上において、互いに直交する方向である。また、Ｘ−Ｙ平面は、画像表示装置が映像を表示する面に対して直交する面である。
【００１３】
（実施の形態１）
以下、本実施の形態に係る画像表示装置１０について、図１〜図５を参照しながら説明する。
【００１４】
図１は、本実施の形態に係る画像表示装置１０の設置例を示す模式図である。図１に示すように、画像表示装置１０は、部屋（例えば、会議室など）と部屋、又は部屋と廊下などの室内外を間仕切りする壁１００の一部に設置されている。なお、壁１００は画像表示装置１０が設置される設置面の一例である。
【００１５】
［１−１．画像表示装置の構成］
まず、本実施の形態に係る画像表示装置１０の構成について、図２及び図３を参照しながら説明する。
【００１６】
図２は、図１のＩＩ−ＩＩ線における本実施の形態に係る画像表示装置１０の部分拡大断面図である。
【００１７】
図２に示すように、画像表示装置１０は、有機ＥＬパネル２０、調光シート３０及び有機ＥＬパネル４０を備える。有機ＥＬパネル２０及び４０は、互いに略平行に配置され、かつ調光シート３０を挟むように配置されている。例えば、有機ＥＬパネル２０、調光シート３０及び有機ＥＬパネル４０は、この順に積層されている。図２では、調光シート３０に対して室内側（図１では、会議室側）に有機ＥＬパネル２０が配置され、調光シート３０に対して室外側に有機ＥＬパネル４０が配置されている例を示している。
【００１８】
なお、有機ＥＬパネル２０と調光シート３０、及び、調光シート３０と有機ＥＬパネル４０とはそれぞれ、図示しないがＯＣＲ（光学透明樹脂：Ｏｐｔｉｃａｌｌｙ  Ｃｌｅａｒ  Ｒｅｓｉｎ）及びＯＣＡ（光学透明接着剤：Ｏｐｔｉｃａｌ  Ｃｌｅａｒ  Ａｄｈｅｓｉｖｅ）などの透明性の高い接着剤を用いて適宜接着される。例えば、接着剤は、有機ＥＬパネル２０、調光シート３０及び有機ＥＬパネル４０が有する透明基板と屈折率が近いものが選定されるとよい。なお、例えば、有機ＥＬパネル２０と調光シート３０とを、透明基板の外周に接着剤などを塗布することにより接着してもよい。この場合、有機ＥＬパネル２０と調光シート３０との間には、例えば、空気層が形成される。
【００１９】
なお、有機ＥＬパネル２０及び４０は同一の構成であり、有機ＥＬパネル２０を用いて説明する。また、映像とは、静止画、動画を含む。また、映像とは、文字、数字などを含む。
【００２０】
有機ＥＬパネル２０は、映像を表示するための表示装置である。図示しないが、有機ＥＬパネル２０は、調光シート３０側（Ｘ軸マイナス側）の面から室内側（Ｘ軸プラス側）の面に向かって、第１の透明基板、陰極を成す第１の透明電極膜、電子を円滑に発光層に移動させるための電子輸送層、光を発光する発光層、正孔を円滑に発光層に移動させるための正孔輸送層、正極を成す第２の透明電極膜、及び、第２の透明基板がこの順に積層されて構成される。
【００２１】
第１の透明基板及び第２の透明基板は、ガラス、石英、樹脂などの透明材料から構成される。例えば、第１の透明電極膜及び第２の透明電極膜は、ＩＴＯ（Ｉｎｄｉｕｍ  Ｔｉｎ  Ｏｘｉｄｅ）等の透明な材料から構成される。電子輸送層は、電子注入を第１の透明電極膜から受け発光層に輸送する電子輸送材料で構成されている。発光層は、低分子系又は高分子系の蛍光体材料（有機ＥＬ材料）等から構成される。正孔輸送層は、正孔注入を第２の透明電極膜から受け発光層に輸送する正孔輸送材料で構成されている。
【００２２】
また、有機ＥＬパネル４０は、調光シート３０側（Ｘ軸プラス側）の面から室外側（Ｘ軸マイナス側）の面に向かって、第１の透明基板、陰極を成す第１の透明電極膜、電子を円滑に発光層に移動させるための電子輸送層、光を発光する発光層、正孔を円滑に発光層に移動させるための正孔輸送層、正極を成す第２の透明電極膜、及び、第２の透明基板がこの順に積層されて構成される。
【００２３】
なお、有機ＥＬパネル２０及び４０の駆動方式については、パッシブ方式、及び、アクティブ方式のいずれであってもよい。また、有機ＥＬパネル２０及び４０のカラー化方式は、例えば、３色方式である。また、有機ＥＬパネル２０及び４０の構造は上記に限定されない。
【００２４】
上記のように構成された有機ＥＬパネル２０及び４０により、自発光型の透明ディスプレイが構成される。有機ＥＬパネル２０及び４０は、可視光に対して光透過性を有する。例えば、透明電極膜間に電圧が印加されていない状態で、有機ＥＬパネル２０及び４０は透明である。なお、有機ＥＬパネル２０は第１のパネルの一例であり、有機ＥＬパネル４０は第２のパネルの一例である。
【００２５】
調光シート３０は、平行に配置された有機ＥＬパネル２０及び４０の間に配置され、光透過状態（以降、単に透過状態とも記載する）と光非透過状態（以降、単に非透過状態とも記載する）とを切り替え可能な光学部材である。透過状態とは、有機ＥＬパネル２０及び４０が発した光を透過させる状態であり、例えば透明状態である。また、非透過状態とは、有機ＥＬパネル２０及び４０が発した光を拡散する光拡散状態、及び、黒色を表示する黒色状態のうちの一方の状態である。透明ディスプレイが有機ＥＬパネル２０及び４０である場合、調光シート３０は非透過状態において、黒色状態であるとよい。これにより、画像表示装置１０が表示する映像のコントラストが向上する。なお、調光シート３０は、例えば、印加される電圧のＯＮ／ＯＦＦにより透過状態と非透過状態とが切り替わる。調光シート３０に印加する電圧の制御は、後述する制御部６０により行われる。なお、黒色状態とは、透過状態より可視光に対する透過率が低い状態である。
【００２６】
透過状態と黒色状態とを切り替え可能な調光シート３０は、可視光（以降、単に光とも記載する）を吸収可能な色素を含む光吸収層と、透明電極膜が光吸収層側の面に形成された一対の透明基板とで構成される。光吸収層は、一例として、透明電極膜間に電圧が印加されると、光を吸収せずに透過させる透過状態となる。光吸収層は、透明電極膜間に電圧が印加された状態で、透明性を有しているとよい。また、光吸収層は透明電極膜間に電圧が印加されていないと、光を吸収する。言い換えると、光吸収層に電圧が印加されると、透過状態より透過率が低い黒色状態となる。なお、光吸収層は、印加する電圧を変化させることで、光の吸収度合を調整できてもよい。
【００２７】
なお、調光シート３０は、上記の構成に限定されず、透過状態と非透過状態とを切り替え可能なディスプレイであればよい。例えば、調光シート３０は、電圧の印加により透過状態と非透過状態とを切り替え可能なディスプレイであればよい。例えば、調光シート３０は、液晶ディスプレイ（例えば、ポリマーネットワーク型の液晶ディスプレイ）、又は、エレクトロクロミック材料を用いたディスプレイなどであってもよい。
【００２８】
次に、画像表示装置１０の機能構成について、図３を参照しながら説明する。
【００２９】
図３は、本実施の形態に係る画像表示装置１０の機能構成を示すブロック図である。
【００３０】
図３に示すように、画像表示装置１０は、有機ＥＬパネル２０、調光シート３０、有機ＥＬパネル４０、取得部５０、制御部６０及びメモリ７０を備える。
【００３１】
取得部５０は、画像表示装置１０がユーザからの操作を取得するユーザインタフェースである。例えば、取得部５０は、有機ＥＬパネル２０、調光シート３０及び有機ＥＬパネル４０の動作に関するユーザからの操作を取得する。
【００３２】
取得部５０は、例えば、有機ＥＬパネル２０の表面に配置された押しボタン又はタッチパネルであってもよい。また、取得部５０は、画像表示装置１０を遠隔操作する端末装置（図示しない）からユーザの操作を取得してもよい。この場合、取得部５０は、端末装置からユーザの操作に基づく制御信号を受信する。取得部５０は、具体的には、通信回路（通信モジュール）を含み、端末装置が備える送信部から無線通信によって制御信号を受信する。
【００３３】
なお、端末装置とは、専用に開発されたコントローラ端末、スマートフォンつまり高機能携帯電話端末、携帯電話端末など、持ち運びが可能な携帯端末である。また、取得部５０と端末装置との無線通信方法は特に限定されない。一例として、Ｂｌｕｅｔｏｏｔｈ（登録商標）、または、Ｗｉ−Ｆｉ（登録商標）などの通信規格を用いた無線通信が行われてもよい。
【００３４】
取得部５０が取得したユーザからの操作は、制御部６０に出力される。
【００３５】
制御部６０は、画像表示装置１０が備える各構成要素を制御する制御装置である。具体的には、取得部５０が取得したユーザの操作に応じて、有機ＥＬパネル２０、調光シート３０及び有機ＥＬパネル４０を制御する。例えば、制御部６０は、ユーザの操作に応じて、有機ＥＬパネル２０及び４０に映像を表示させる又は表示させない、並びに、調光シート３０の透過状態及び非透過状態を切り替える制御を行う。なお、制御部６０が行う制御の詳細は、後述する。
【００３６】
制御部６０は、具体的には、マイクロコンピュータであるが、専用回路などにより実現されてもよい。制御部６０は、内蔵する記憶部から制御プログラムを読み出し、読み出したプログラムを実行する。なお、制御部６０は、メモリ７０から実行する制御プログラムを読み出し、読み出した制御プログラムを実行してもよい。
【００３７】
メモリ７０は、制御部６０が実行する制御プログラムなどが記憶される記憶装置である。メモリ７０は、有機ＥＬパネル２０及び４０に表示させる映像を記憶していてもよい。メモリ７０は、例えば、フラッシュメモリ又は半導体メモリなどにより実現される。
【００３８】
［１−２．制御部が行う制御］
次に、制御部６０が行う制御について、図４〜図６を参照しながら説明する。
【００３９】
図４は、本実施の形態に係る制御部６０が行う第１モード及び第２モードの制御を示す図である。具体的には、図４の（ａ）は、制御部６０が行う第１モードの制御の一例を示す図であり、図４の（ｂ）は、制御部６０が行う第２モードの制御の一例を示す図である。なお、本実施の形態に係る画像表示装置１０は、第２モードを有している点に特徴を有する。なお、図４では、有機ＥＬパネル２０及び４０が表示する映像などをわかりやすく図示するため、有機ＥＬパネル２０と調光シート３０、及び、調光シート３０と有機ＥＬパネル４０との間をあけて図示している。
【００４０】
図４の（ａ）に示すように、制御部６０は、第１モードでは有機ＥＬパネル２０及び４０にそれぞれ映像を表示させ、かつ調光シート３０を非透過状態（本実施の形態では、黒色状態）にする制御を行う。例えば、取得部５０がユーザから第１モードで制御を行う操作を取得すると、制御部６０は上記の制御を行う。具体的には、制御部６０は、有機ＥＬパネル２０及び４０に表示させる映像に対応した制御信号を出力することで、有機ＥＬパネル２０及び４０に映像を表示させる。また、制御部６０は、調光シート３０に電圧を印加しないことで、調光シート３０を黒色状態にする。なお、図４の（ａ）では、調光シート３０が黒色状態であることを、ドット状のハッチングで示している。
【００４１】
第１モードでは、有機ＥＬパネル２０及び４０はそれぞれ、有機ＥＬパネルを正面から見たときに映像が認識できるように表示する。例えば、有機ＥＬパネル２０は、Ｘ軸のプラス側から有機ＥＬパネルを見た場合に、正規の映像が認識できるように映像を表示し、有機ＥＬパネル４０は、Ｘ軸のマイナス側から有機ＥＬパネル４０を見た場合に、正規の映像が認識できるように映像を表示する。言い換えると、有機ＥＬパネル２０の映像表示方向は、Ｘ軸マイナス側からＸ軸プラス側に向かう方向であり、有機ＥＬパネル４０の映像表示方向は、Ｘ軸プラス側からＸ軸マイナス側に向かう方向である。つまり、有機ＥＬパネル４０は、有機ＥＬパネル２０の映像表示方向と反対側に映像表示を行う。また、調光シート３０は、黒色状態である。
【００４２】
これにより、Ｘ軸プラス側から画像表示装置１０を見た場合、有機ＥＬパネル２０が表示する映像は見えるが、有機ＥＬパネル４０が表示する映像は見えない。また、Ｘ軸マイナス側から画像表示装置１０を見た場合、有機ＥＬパネル４０が表示する映像は見えるが、有機ＥＬパネル２０が表示する映像は見えない。さらに、調光シート３０が黒色状態であることで、Ｘ軸プラス側及びマイナス側から画像表示装置１０を見た場合、それぞれの映像は黒色がくっきりと見える。つまり、有機ＥＬパネル２０及び４０は、高コントラストの映像を表示することができる。言い換えると、第１モードとは、高コントラストの映像を表示するモードである。
【００４３】
なお、図４の（ａ）では、有機ＥＬパネル２０（室内側の有機ＥＬパネル）は有機ＥＬパネル２０が配置されている空間（例えば、会議室）を使用できる時間帯を表示し、有機ＥＬパネル４０（室外側のパネル）は会議室が使用中であることを示す映像を表示している例を示している。図４の（ａ）では、有機ＥＬパネル２０及び４０のそれぞれは、異なる映像を表示している例を示しているが、有機ＥＬパネル２０及び４０が表示する映像は特に限定されない。例えば、Ｘ軸プラス側から有機ＥＬパネル２０を見た場合に有機ＥＬパネル２０が表示する映像と、Ｘ軸マイナス側から有機ＥＬパネル４０を見た場合に有機ＥＬパネル４０が表示する映像とは、同じ映像であってもよい。
【００４４】
また、図４の（ｂ）に示すように、制御部６０は、第２モードでは有機ＥＬパネル２０及び４０のそれぞれに映像を表示させず、かつ調光シート３０を透過状態（本実施の形態では、透明状態）にする制御を行う。例えば、取得部５０がユーザから第２モードで制御を行う操作を取得すると、制御部６０は上記の制御を行う。具体的には、制御部６０は、有機ＥＬパネル２０及び４０に表示させる映像に対応した制御信号を出力しないことで、有機ＥＬパネル２０及び４０を映像表示しない透明状態にさせる。また、制御部６０は、調光シート３０に電圧を印加することで、調光シート３０を透過状態にさせる。
【００４５】
これにより、本実施の形態に係る画像表示装置１０は、映像を表示するモードと、光を透過させるモードとを使用する用途にも適用可能となる。例えば、画像表示装置１０を窓又はショーウィンドウなどにも使用することが可能となる。
【００４６】
ここで、制御部６０が行う第１モード及び第２モードの遷移について、図５を参照しながら説明する。
【００４７】
図５は、本実施の形態に係る制御部６０が行うモードの遷移を示す状態遷移図である。
【００４８】
まず、制御部６０は取得部５０を介してユーザから第１モードで制御を行うことを示す操作（指示）を取得する（Ｓ１１）と、有機ＥＬパネル２０、調光シート３０、及び有機ＥＬパネル４０を第１モードに制御する（Ｓ１２）。具体的には、制御部６０は、有機ＥＬパネル２０及び４０に映像を表示させ、かつ調光シート３０を非透過状態にする。これにより、画像表示装置１０は高コントラストの映像を表示する。
【００４９】
次に、制御部６０は取得部５０を介してユーザから第２モードで制御を行う（具体的には、第１モードから第２モードへ切り替える）ことを示す操作を取得する（Ｓ１３）と、有機ＥＬパネル２０、調光シート３０、及び有機ＥＬパネル４０を第２モードに制御する（Ｓ１４）。制御部６０はステップＳ１３でユーザからの操作を取得すると、第１モードから第２モードへ遷移する制御を行う。具体的には、制御部６０は、有機ＥＬパネル２０及び４０に映像を表示させず、かつ調光シート３０を透過状態にする。これにより、画像表示装置１０は、映像を表示しておらず、かつ透明状態となる。
【００５０】
次に、制御部６０は取得部５０を介してユーザから第１モードで制御を行う（具体的には、第２モードから第１モードへ切り替える）ことを示す操作を取得する（Ｓ１５）と、有機ＥＬパネル２０、調光シート３０、及び有機ＥＬパネル４０を第１モードに制御する（Ｓ１２）。制御部６０はステップＳ１５でユーザからの操作を取得すると、第２モードから第１モードへ遷移する制御を行う。具体的には、制御部６０は、制御部６０は、有機ＥＬパネル２０及び４０に映像を表示させ、かつ調光シート３０を非透過状態にする。これにより、画像表示装置１０は高コントラストの映像を表示する。
【００５１】
以降、ユーザからの操作に応じて、制御部６０は第１モードと第２モードとを遷移する制御を行う。なお、制御部６０は、第１モード及び第２モード以外のモードを有していてもよく（例えば、後述する第３モード又は第４モードなど）、ユーザからの操作によりそれぞれのモードを切り替えてもよい。
【００５２】
なお、ステップＳ１２は、第１ステップの一例であり、ステップＳ１４は第２ステップの一例である。つまり、本願発明は、第１ステップと第２ステップとを含む画像表示装置の画像表示方法として実現されてもよい。
【００５３】
さらに、制御部６０は、第１モード及び第２モード以外のモードを有していてもよく、図６を参照しながら他のモードについて説明する。
【００５４】
図６は、本実施の形態に係る制御部６０が行う第４モードの制御を示す図である。なお、第３モードについては、後述する。
【００５５】
図６に示すように、制御部６０は、第４モードでは、有機ＥＬパネル２０及び４０に映像を表示し、かつ調光シート３０を透過状態にする制御を行う。調光シート３０が透過状態であるので、Ｘ軸プラス側から画像表示装置１０を見た場合、有機ＥＬパネル２０に表示されている映像に加え、有機ＥＬパネル４０に表示されている映像を見ることができる。言い換えると、第４モードでは、有機ＥＬパネル２０及び４０それぞれが表示する映像を重ねることで、１つの映像を表示する。有機ＥＬパネル２０及び４０に表示される映像は、例えば、関係性がある映像である。
【００５６】
図６では、画像表示装置１０を一方向（例えば、Ｘ軸プラス側）から見た場合に、有機ＥＬパネル２０及び４０が同じ映像を表示している例を示している。言い換えると、有機ＥＬパネル４０が表示する映像は、有機ＥＬパネル２０が表示する映像の左右逆向きの映像（以降、反転映像とも記載する）である。つまり、Ｘ軸マイナス側から有機ＥＬパネル４０を見たときに表示されている映像は、Ｘ軸プラス側から有機ＥＬパネル２０を見たときに表示されている映像を左右逆向きにした映像となる。言い換えると、第４モードは、有機ＥＬパネル２０及び４０の映像表示方向が同じ方向であり、一例として図６では映像表示方向はＸ軸マイナス側からＸ軸プラス側に向かう方向である。
【００５７】
これにより、画像表示装置１０は、有機ＥＬパネル２０側及び有機ＥＬパネル４０側のどちらから見ても、映像をくっきり表示することができる。例えば、調光シート３０が透過状態であり、有機ＥＬパネル２０及び４０のうち有機ＥＬパネル２０のみが表示している場合、有機ＥＬパネル４０側から画像表示装置１０を見ると、有機ＥＬパネル２０が表示している映像が見える。しかし、調光シート３０及び有機ＥＬパネル４０を介して有機ＥＬパネル２０に表示されている映像を見ることになるので、その分、映像の見た目が低下してしまう（例えば、ボケた映像となる）。一方、本実施の形態に係る画像表示装置１０のように、第４モードによる表示を行うことで、有機ＥＬパネル２０側及び有機ＥＬパネル４０側のどちらから見ても、映像をくっきり表示することができる。
【００５８】
なお、第４モードで表示する映像は、上記に限定されない。例えば、制御部６０は、有機ＥＬパネル２０及び４０に異なる映像を表示させてもよい。この場合、画像表示装置１０は、立体感のある映像を表示することが可能である。
【００５９】
制御部６０は、有機ＥＬパネル２０及び４０に表示する映像に対応した制御信号を出力することで、有機ＥＬパネル２０及び４０に映像を表示させる。図６の場合では、制御部６０は、有機ＥＬパネル４０が表示する映像は有機ＥＬパネル２０が表示する映像の反転映像となるように、有機ＥＬパネル２０及び４０に制御信号を送信する。また、制御部６０は、調光シート３０に電圧を印加することで、調光シート３０を透過状態にさせる。
【００６０】
［１−３．効果など］
以上のように、本実施の形態に係る画像表示装置１０は、平行に配置され、それぞれが可視光透過性を有し映像表示を行う有機ＥＬパネル２０（第１のパネルの一例）及び有機ＥＬパネル４０（第２のパネルの一例）と、有機ＥＬパネル２０と有機ＥＬパネル４０との間に配置され、透過状態と非透過状態とを切り替え可能な調光シート３０と、有機ＥＬパネル２０、有機ＥＬパネル４０及び調光シート３０を制御する制御部６０と、を備える。そして、制御部６０は、有機ＥＬパネル２０及び有機ＥＬパネル４０に映像を表示させ、かつ調光シート３０を黒色状態（非透過状態の一例）にする第１モードと、有機ＥＬパネル２０及び有機ＥＬパネル４０に映像を表示させず、かつ調光シート３０を透過状態にする第２モードとを有する。
【００６１】
これにより、第１モードでは、調光シート３０が黒色状態であるので、有機ＥＬパネル２０及び４０は高コントラストの映像を表示することができる。また、第２モードでは、有機ＥＬパネル２０及び４０、並びに、調光シート３０が可視光を透過する状態であるので、画像表示装置１０が配置されている空間を広く見せる、又は外光を取り入れて画像表示装置１０が配置されている空間を明るくすることができる。つまり、第２モードを有していることで映像を表示する以外の用途にも画像表示装置１０を利用することができるので、画像表示装置１０の利便性が向上する。
【００６２】
上記により、本実施の形態に係る画像表示装置１０は、高コントラストの映像を表示でき、かつ利便性が向上する。
【００６３】
また、制御部６０は、さらに、有機ＥＬパネル２０に映像を表示させ、有機ＥＬパネル４０に有機ＥＬパネル２０が表示している映像と左右逆向きの映像である反転映像を表示させ、調光シート３０を透過状態にする第４モードを有する。
【００６４】
これにより、調光シート３０が透過状態であるシースルー表示を行っている場合に画像表示装置１０を有機ＥＬパネル２０側及び有機ＥＬパネル４０側のどちらからか見ても、映像をくっきりと表示することができる。なお、有機ＥＬパネル２０側から見た映像と有機ＥＬパネル４０側から見た映像とは、左右反転した映像となる。
【００６５】
また、制御部６０は、第１モードにおいて、有機ＥＬパネル２０及び有機ＥＬパネル４０のそれぞれに異なる映像を表示する。
【００６６】
これにより、有機ＥＬパネル２０及び４０のそれぞれに適した映像を表示することができる。例えば、有機ＥＬパネル２０が室内（例えば、会議室）側に配置されている場合、会議室の使用時間帯又は会議で使用する資料などを表示することができる。また、有機ＥＬパネル４０が室外（例えば、廊下）側に配置されている場合、会議室が使用中であることを示す映像を表示することができる。
【００６７】
また、以上のように、本実施の形態に係る画像表示装置１０の画像表示方法は、平行に配置され、それぞれが可視光透過性を有し映像表示を行う有機ＥＬパネル２０及び４０と、有機ＥＬパネル２０と有機ＥＬパネル４０との間に配置され、光透過状態と光非透過状態とを切り替え可能な調光シート３０と、を備える画像表示装置１０の画像表示方法であって、有機ＥＬパネル２０及び４０に映像を表示させ、かつ調光シート３０を光非透過状態にする第１ステップと、有機ＥＬパネル２０及び４０に映像を表示させず、かつ調光シート３０を光透過状態にする第２ステップと、を含む。
【００６８】
これにより、上記画像表示装置１０と同様の効果を奏する。
【００６９】
（実施の形態２）
次に、本実施の形態に係る画像表示装置１０ａについて、図７及び図８を参照しながら説明する。なお、本実施の形態では、実施の形態１との相違点を中心に説明し、実質的に共通の構成については同一の符号を付し、説明を省略又は簡略化する場合がある。
【００７０】
［２−１．画像表示装置の構成］
まず、本実施の形態に係る画像表示装置１０ａの構成について、図７を参照しながら説明する。
【００７１】
図７は、本実施の形態に係る画像表示装置１０ａの機能構成を示すブロック図である。
【００７２】
図７に示すように、本実施の形態に係る画像表示装置１０ａは、人感センサ２１及び４１を備える点に特徴を有する。その他の構成は、実施の形態１に係る画像表示装置１０と同様である。
【００７３】
人感センサ２１及び４１は、人を検知するセンサである。具体的には、人感センサ２１は、調光シート３０に対して有機ＥＬパネル２０側（例えば、会議室）に存在する人を検知するセンサである。また、人感センサ４１は、調光シート３０に対して有機ＥＬパネル４０側（例えば、廊下）に存在する人を検知するセンサである。人感センサ２１及び４１は、例えば人の体から放出される赤外線を検知する熱線センサであってもよいし、超音波などで人の存在の有無を検知するセンサであってもよい。
【００７４】
なお、本実施の形態では画像表示装置１０ａは、人感センサを２つ備えている例について説明しているが、これに限定されない。人感センサは、調光シート３０に対して有機ＥＬパネル２０側（以降、単に有機ＥＬパネル２０側とも記載する）、又は、調光シート３０に対して有機ＥＬパネル４０側（以降、単に有機ＥＬパネル４０側とも記載する）に存在する人を検知できれば、人感センサの数は特に限定されない。また、画像表示装置１０ａが備えるセンサは人感センサに限定されず、有機ＥＬパネル２０側又は有機ＥＬパネル４０側に存在する人を直接的又は間接的に検知できるセンサであればよい。例えば、画像表示装置１０ａが備えるセンサは、有機ＥＬパネル２０側又は有機ＥＬパネル４０側の明るさを検知する照度センサであってもよい。センサが照度センサである場合、制御部６０は、照度センサが検知する明るさが明るくなったことで人が存在していることを間接的に検知してもよい。つまり、照度センサのように間接的に人を検知するセンサも、本願明細書における人を検知するセンサに含まれる。
【００７５】
制御部６０は、人感センサ２１及び４１の検知結果に応じて有機ＥＬパネル２０及び４０が表示する映像、並びに、調光シート３０の状態（例えば、透過状態と非透過状態）を制御する。制御部６０は、例えば、人感センサ２１によって人が検知されると、有機ＥＬパネル２０に所定の映像を表示する制御を行う。
【００７６】
［２−２．制御部が行う制御］
続いて、画像表示装置１０ａの動作について、図８を参照しながら説明する。
【００７７】
図８は、本実施の形態に係る制御部６０が行う第３モードの制御の一例を示す図である。図８では、有機ＥＬパネル２０及び４０のうち、有機ＥＬパネル２０が配置された空間のみに人がいる場合を示している。
【００７８】
図８に示すように、有機ＥＬパネル２０側に人が存在する場合、人感センサ２１は当該人を検知する。人感センサ２１は、検知結果を制御部６０に出力する。制御部６０は、人感センサ２１の検知結果から有機ＥＬパネル２０のみに映像を表示させ、かつ調光シート３０を透過状態とする。図８では、有機ＥＬパネル２０が配置された空間（例えば、会議室）を使用する時間帯を表示している例を示しているが、有機ＥＬパネル２０に表示される映像は、特に限定されない。また、図８では、人感センサ２１及び４１は有機ＥＬパネル２０及び４０の上部側に配置されている例について示しているが、人感センサ２１及び４１が配置される位置は特に限定されない。有機ＥＬパネル２０及び４０が配置された空間又は有機ＥＬパネル２０及び４０の前方にいる人を検知できる位置であればよい。
【００７９】
また、図８に示すように、有機ＥＬパネル４０側に人はいないので、人感センサ４１は人がいないことを検知する。人感センサ４１は検知結果を制御部６０に出力する。制御部６０は、人感センサ４１の検知結果から、有機ＥＬパネル４０に映像を表示させない。つまり、有機ＥＬパネル４０は、透明状態である。これにより、人が存在しない側に配置されている有機ＥＬパネル（例えば、有機ＥＬパネル４０）には映像が表示されないので、画像表示装置１０ａの消費電力を削減することができる。
【００８０】
また、図８では、調光シート３０は透明状態である例について示しているが、これに限定されない。制御部６０は、有機ＥＬパネル２０及び４０のうちの一方の有機ＥＬパネルのみが映像を表示している場合、調光シート３０を透過状態及び非透過状態のどちらに制御してもよい。制御部６０は、例えば有機ＥＬパネル２０及び４０のうちの一方の有機ＥＬパネルのみが映像を表示しているときの調光シート３０の状態を予めユーザから取得しており、取得したユーザの指示に基づいて調光シート３０の状態を制御してもよい。
【００８１】
制御部６０が調光シート３０を黒色状態とすることで、映像を綺麗に見せることができ、調光シート３０を透過状態とすることで映像をシースルー表示させることができる。また、調光シート３０を黒色状態とすることで、例えば人感センサ４１の検知範囲外に人がいる場合であっても、当該人は有機ＥＬパネル２０に表示されている映像を見ることができないので、セキュリティを保護することもできる。なお、有機ＥＬパネル２０のみが映像を表示し、かつ調光シート３０が透過状態である状態は、第３モードに含まれる第１状態の一例である。
【００８２】
また、有機ＥＬパネル４０側のみに人が存在する場合（例えば、人感センサ２１及び４１のうち人感センサ４１のみが人を検知した場合）、制御部６０は有機ＥＬパネル４０のみに映像を表示させ、かつ調光シート３０が透過状態とする。なお、有機ＥＬパネル４０のみが映像を表示し、かつ調光シート３０が透過状態である状態は、第３モードに含まれる第２状態の一例である。言い換えると、制御部６０は、第１状態及び第２状態を含む第３モードを有する。そして、上記のように制御部６０は人感センサ２１及び４１の検知結果に応じて、第３モードにおいて第１状態及び第２状態の一方を実行する制御を行う。
【００８３】
なお、有機ＥＬパネル２０及び４０の両方が映像を表示している場合（言い換えると、人感センサ２１及び４１がそれぞれ人を検知した場合）、制御部６０は、調光シート３０を黒色状態（非透過状態の一例）としてもよい。つまり、制御部６０は、第１モードを実行する制御を行ってもよい。また、有機ＥＬパネル２０及び４０の両方が映像を表示していない場合（言い換えると、人感センサ２１及び４１がそれぞれ人を検知していない場合）、制御部６０は調光シート３０を透過状態としてもよい。つまり、制御部６０は、第２モードを実行する制御を行ってもよい。
【００８４】
なお、上記では、画像表示装置１０ａは、有機ＥＬパネル２０側及び有機ＥＬパネル４０側のそれぞれにいる人を検知する例について説明したが、これに限定されない。例えば、有機ＥＬパネル２０側及び有機ＥＬパネル４０の少なくとも一方にいる人を検知してもよい。例えば、画像表示装置１０ａは人感センサ２１のみを備えることで、有機ＥＬパネル２０側に存在する人のみを検知してもよい。この場合、人感センサ２１が人を検知すると、制御部６０は第１状態を実行する制御を行う。つまり、制御部６０は、人感センサが人を検知した側に配置されている有機ＥＬパネル（例えば、有機ＥＬパネル２０）に映像を表示させる制御を行う。
【００８５】
なお、上記では、画像表示装置１０ａが人感センサ２１及び４１を備える例について説明したが、これに限定されない。例えば、画像表示装置１０ａはセンサを備えておらず、部屋などに設置されている別のセンサから人を検知したことを示す情報を受信することで、人が存在していることを検知してもよい。例えば、取得部５０が他のセンサから人を検知したことを示す情報を受信してもよい。
【００８６】
［２−３．効果など］
以上のように、本実施の形態に係る画像表示装置１０ａが備える、制御部６０は、さらに、有機ＥＬパネル２０（第１のパネルの一例）のみに映像を表示させ、かつ調光シート３０を透過状態にする第１状態、及び、有機ＥＬパネル４０（第２のパネルの一例）のみに映像を表示させ、かつ調光シート３０を透過状態にする第２状態を含む第３モードを有する。
【００８７】
これにより、画像表示装置１０ａは、シースルー表示が可能となる。つまり、ユーザは、有機ＥＬパネル２０に表示されている映像及び、調光シート３０に対して有機ＥＬパネル４０側の様子を確認することができるので、画像表示装置１０ａの利便性が向上する。
【００８８】
また、調光シート３０に対して有機ＥＬパネル２０側、又は、調光シート３０に対して有機ＥＬパネル４０側に存在する人を検知する人感センサ２１及び４１（センサの一例）を備える。そして、制御部６０は、人感センサ２１及び４１の検知結果に応じて、第３モードにおいて第１状態及び第２状態の一方を実行する。
【００８９】
これにより、制御部６０は、画像表示装置１０ａが備える人感センサ２１及び４１の検知結果を用いて、第３モードにおける第１状態及び第２状態の一方を実行することができる。つまり、ユーザからの操作を取得しなくても映像を表示させることができるので、画像表示装置１０ａの利便性が向上する。例えば、人感センサ２１が人を検知し、かつ人感センサ４１が人を検知していない場合、制御部６０は第１状態を実行する。例えば、人感センサ２１が人を検知しておらず、かつ人感センサ４１が人を検知している場合、制御部６０は第２状態を実行する。
【００９０】
（他の実施の形態）
以上のように、本出願において開示する技術の例示として、実施の形態１及び２を説明した。しかしながら、本開示における技術は、これに限定されず、適宜、変更、置き換え、付加、省略などを行った実施の形態にも適用可能である。また、上記実施の形態１及び２で説明した各構成要素を組み合わせて、新たな実施の形態とすることも可能である。
【００９１】
そこで、以下、他の実施の形態を例示する。
【００９２】
例えば、上記実施の形態では、自発光型の透過パネルが有機ＥＬパネルである例について説明したが、これに限定されない。例えば、自発光型の透過パネルは、無機ＥＬパネルであってもよい。
【００９３】
また、上記実施の形態では、透明ディスプレイが自発光型のディスプレイである例について説明したが、これに限定されない。透明ディスプレイは液晶パネルなどの自発光型ではないディスプレイであってもよい。液晶パネルは、液晶材料、透明基板及び透明電極などにより構成される液晶層と、透明な導光板及び導光板の端部に配置される光源（例えば、ＬＥＤ（Ｌｉｇｈｔ  Ｅｍｉｔｔｉｎｇ  Ｄｉｏｄｅ））などにより構成される光源部とによって実現される。また、透明ディスプレイは、その他の透明でありかつ映像を表示できるパネルであってもよい。なお、透明ディスプレイが液晶パネルである場合、調光シートは光透過状態と光拡散状態（非透過状態の一例）とを切り替え可能であるとよい。
【００９４】
また、上記実施の形態では、制御部は第１モード〜第４モードを有している例について説明したが、制御部はそれ以外のモードを有していてもよい。例えば、制御部は２枚の有機ＥＬパネルに映像を表示せず、かつ調光シートを非透過状態とする第５モードを有していてもよい。
【００９５】
また、上記実施の形態２において、画像表示装置が照度センサを備える場合、制御部は照度センサが予め定められた時間継続して明るい状態を検知したときに、電気の消し忘れの可能性があること示す情報を有機ＥＬパネルに表示させてもよい。例えば、一方の有機ＥＬパネルが配置された空間の明るさが予め定められた時間継続して明るい状態である場合、制御部は他方の有機ＥＬパネルに電気の消し忘れであることを示す情報を表示させてもよい。さらに、画像表示装置が人感センサ及び照度センサの両方を備えている場合、一方の有機ＥＬパネルが配置された空間において人感センサが人を検知しておらず、かつ照度センサが明るい状態を検知している場合、制御部は、他方の有機ＥＬパネルに電気の消し忘れであることを示す情報を表示させてもよい。
【００９６】
また、上記実施の形態において、上記画像表示装置により行われる複数のステップ（例えば、第１ステップ及び第２ステップ）を含む画像表示方法として実現されてもよい。例えば、当該画像表示方法は、制御部及びメモリを備えるコンピュータにより実行される。
【００９７】
また、上記実施の形態において、各構成要素は、専用のハードウェアで構成されるか、各構成要素に適したソフトウェアプログラムを実行することによって実現されてもよい。各構成要素は、プロセッサなどのプログラム実行部が、ハードディスクまたは半導体メモリなどの記録媒体に記録されたソフトウェアプログラムを読み出して実行することによって実現されてもよい。プロセッサは、半導体集積回路（ＩＣ）、又はＬＳＩ（Ｌａｒｇｅ  ｓｃａｌｅ  ｉｎｔｅｇｒａｔｉｏｎ）を含む一つ又は複数の電子回路で構成される。複数の電子回路は、一つのチップに集積されていてもよいし、複数のチップに設けられてもよい。複数のチップは一つの装置に集約されていてもよし、複数の装置に備えられていてもよい。
【００９８】
また、本開示の全般的または具体的な態様は、システム、装置、方法、集積回路、コンピュータプログラムまたはコンピュータが読み取り可能なＣＤ−ＲＯＭ、光ディスクなどの非一時的記録媒体などで実現されてもよい。プログラムは、記憶媒体に予め記憶されていてもよいし、インターネット等を含む広域通信網を介して記憶媒体に供給されてもよい。
【００９９】
以上のように、本開示における技術の例示として、実施の形態を説明した。そのために、添付図面および詳細な説明を提供した。
【０１００】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をすべきではない。
【０１０１】
また、上述の実施の形態は、本開示における技術を例示するためのものであるから、特許請求の範囲またはその均等の範囲において種々の変更、置き換え、付加、省略などを行うことができる。
【産業上の利用可能性】
【０１０２】
本開示は、映像を表示するモード及び高い透過率を有するモードの両方を使用する用途に用いられるディスプレイに適用可能である。具体的には、スペースを区分けする間仕切り、窓ガラス、ショーウィンドウなどに、本開示は適用可能である。
【符号の説明】
【０１０３】
１０、１０ａ    画像表示装置
２０    有機ＥＬパネル（第１のパネル）
２１、４１    人感センサ（センサ）
３０    調光シート
４０    有機ＥＬパネル（第２のパネル）
５０    取得部
６０    制御部
７０    メモリ
１００    壁
【図１】
2020112581.tif 000003
【図２】
2020112581.tif 000004
【図３】
2020112581.tif 000005
【図４】
2020112581.tif 000006
【図５】
2020112581.tif 000007
【図６】
2020112581.tif 000008
【図７】
2020112581.tif 000009
【図８】
2020112581.tif 000010